(57)【特許請求の範囲】
【請求項１】
管理サーバーと、
前記管理サーバーにネットワークを介して接続されるユーザー端末と、
所定の範囲を撮影して画像データを取得するデジタルカメラを備え、前記管理サーバーに前記ネットワークを介して接続される撮影端末と、
ユーザーの保持する前記ユーザー端末が前記撮影端末での撮影が可能な箇所に位置することを検知する検知手段と、
を備え、
前記ユーザー端末は、前記検知手段が前記ユーザー端末を検知したことを前記ユーザー端末に知らせたとき、前記撮影端末による画像データの取得を前記管理サーバーに依頼する撮影依頼手段を備え、
前記管理サーバーは、前記ユーザー端末からの撮影の依頼を受けたとき前記撮影端末のデジタルカメラを駆動して画像データを取得させる撮影指示手段を備え、
前記撮影端末は、撮影した画像データを前記管理サーバーに転送する手段を備え、
前記管理サーバーは、前記撮影端末から取得した画像データを、前記ユーザーの要求に基づいて配信する手段を備え、
前記撮影端末と当該撮影端末に対応する前記検知手段をそれぞれ複数備え、各前記撮影端末には撮影端末ＩＤが付与され、各前記検知手段には検知手段ＩＤが付与され、前記ユーザー端末にはユーザー端末ＩＤが付与されており、
撮影箇所の管理、及び前記ユーザーの管理を前記撮影端末ＩＤ、前記検知手段ＩＤ、及びユーザー端末ＩＤのうちの少なくとも一つを用いて行う、
写真撮影配信システム。
【請求項２】
前記管理サーバーに前記ネットワークを介して接続され、取得した画像データを出力するユーザー出力端末を備え、
前記管理サーバーは、前記ユーザー出力端末の要求に応じて各前記撮影端末が転送した画像データを前記ユーザー出力端末に転送する手段を備える、
請求項１に記載の写真撮影配信システム。
【請求項３】
前記ユーザー出力端末は、前記管理サーバーからの画像データを表示する手段及びプリントする手段の少なくとも一方の手段を備える、
請求項２に記載の写真撮影配信システム。
【請求項４】
前記管理サーバーは、前記ユーザー端末ＩＤに基づいて前記画像データを管理する、
請求項１〜３の何れか１項に記載の写真撮影配信システム。
【請求項５】
各前記撮影端末は、前記画像データと共に、前記撮影端末ＩＤ、ユーザー端末ＩＤ、及び時刻情報を前記管理サーバーに転送する、
請求項１〜４の何れか１項に記載の写真撮影配信システム。
【請求項６】
前記管理サーバーは、前記ユーザー出力端末からのユーザー端末ＩＤに基づいて画像データを出力する、
請求項２または請求項３に記載の写真撮影配信システム。
【請求項７】
各前記検知手段は、前記検知を無線通信、近距離無線通信、光通信、音声通信、１次または２次元の情報コードの撮影、生体認識により行う、
請求項１〜６の何れか１項に記載の写真撮影配信システム。
【発明の詳細な説明】
【技術分野】
【０００１】
本発明は、集合写真を撮影するために最適な写真撮影配信システムに関する。
【背景技術】
【０００２】
名所旧跡等の景勝地、遊園地、テーマパーク等の娯楽施設において、記念写真として集合写真が撮影される。このような集合写真は、参加者である家族、友人等が背景を含めて撮影される。しかし、集合写真では、同伴者の一人が写真を撮影すると、撮影者が被写体とならず、集合写真に写らない。このような集合写真では、後々の記念にならないし、また年賀状等に家族写真として使用することができない。更に、子供等は、父親等の撮影者が写真に写っていないことを残念に感じる。
【０００３】
参加者全員が写った集合写真を撮影するには、カメラを他人に預けて撮影を依頼することや、三脚でカメラを固定してセルフタイマーを使用して撮影することが行われる。しかし、三脚を持参して使用することは煩雑であるし、他人にカメラを預けることを気軽に依頼できない場合もある。近年ではスマートフォンで撮影することがあり、スマートフォンを他人に預けることは盗難や個人情報の漏洩等の危険もある。
【０００４】
また、自撮り棒と称される、即ちカメラやカメラを内蔵したスマートフォンに取付けて、自分撮りを行うための棒状の器具も使用される。しかし、自撮り棒を使用しての撮影は、撮影範囲やアングルが制限される上、多人数の撮影には向かない。更に、安全性の見地から自撮り棒の使用が禁止されている施設もある。
【０００５】
更に、遊園地やテーマパーク等では、撮影業者や自動撮影装置によって集合写真を撮影して、一定時間経過後や退出時にプリントした写真や、画像データを手渡すサービスも提供されている。
【０００６】
特許文献１には、デジタルカメラが記念写真を撮る場所や各アトラクション会場などに配置されており、また、入場者は夫々毎にタグ番号が異なる電子タグを借り受け、写真撮影を希望する入場者はそのタグ番号を登録し、制御用ＰＣは、デジタルカメラの撮影場所に登録した電子タグを持つ入場者が来ると、デジタルカメラでその入場者を撮影させ、この撮影によって得られた写真映像はタグ番号毎に大容量ストレージにファイルされ、入場者がこのテーマパークから出るときに、この電子タグのタグ番号で大容量ストレージをアクセスし、この入場者の写真を提供したり、入場者のＰＣにダウンロードしたりできるシステムが記載されている。
【０００７】
また、特許文献２には、ユーザーを自動撮影する複数の撮影ユニット、ユーザーによって所持され、ユーザーを識別する識別情報を発信する無線タグ、撮影ユニットにより得られた画像データを記録するサーバー、ユーザーから、サーバーに記録されている画像データのうち所望の画像データの出力の注文を受け付ける注文端末、注文端末により注文を受け付けられた画像データを出力する出力手段等を備えた自動撮影システムにおいて、注文端末を、ユーザーからの注文受付時に、出力手段の稼働状況に基づいて注文を受け付けた画像データの出力終了時間を推定してモニタに表示するようにするシステムが記載されている。
【先行技術文献】
【特許文献】
【０００８】
【特許文献１】特開２００２−４１７０３号公報
【特許文献２】特開２００５−１０７１８７号公報
【発明の概要】
【発明が解決しようとする課題】
【０００９】
しかし、特許文献１及び特許文献２に記載のシステムは、撮影は当該システムが稼働している特定の施設だけしか撮影ができないし、利用者は専用のタグを所持していなければならず、気軽に撮影を行うことができない。また、写真や画像データは、システムが稼働する施設においてしか取得できない。
【００１０】
本発明は上述した課題にかんがみてなされたものであり、ユーザーが多くの場所で気軽に集合写真を撮影でき、更に、ユーザーが撮影された画像データをどこでもいつでも取得できる写真撮影配信システムを提供することを目的とする。
【課題を解決するための手段】
【００１１】
［１］本発明に係る一態様の写真撮影配信システムは、（ａ）管理サーバーと、（ｂ）前記管理サーバーにネットワークを介して接続されるユーザー端末と、（ｃ）所定の範囲を撮影して画像データを取得するデジタルカメラを備え、前記管理サーバーに前記ネットワークを介して接続される撮影端末と、（ｄ）前記撮影端末に対応しており、ユーザーの保持する前記ユーザー端末が前記撮影端末での撮影が可能な箇所に位置することを検知する検知手段と、を備え、（ｅ）前記ユーザー端末は、前記検知手段が前記ユーザー端末を検知したことを前記ユーザー端末に知らせたとき、前記撮影端末による画像データの取得を前記管理サーバーに依頼する撮影依頼手段を備え、（ｆ）前記管理サーバーは、前記ユーザー端末からの撮影の依頼を受けたとき前記撮影装置のデジタルカメラを駆動して画像データを取得させる撮影指示手段を備え、（ｇ）前記撮影端末は、撮影した画像データを前記管理サーバーに転送する手段を備え、前記管理サーバーは、前記撮影端末から取得した画像データを、前記ユーザーの要求に基づいて配信する手段を備え、（ｈ）前記撮影端末と当該撮影端末に対応する前記検知手段をそれぞれ複数備え、各前記撮影端末には撮影端末ＩＤが付与され、各前記検知手段には検知手段ＩＤが付与され、前記ユーザー端末にはユーザー端末ＩＤが付与されており、（ｉ）撮影箇所の管理、及び前記ユーザーの管理を前記撮影端末ＩＤ、前記検知手段ＩＤ、及びユーザー端末ＩＤのうちの少なくとも一つを用いて行う、写真撮影配信システムである。
【００１２】
上記構成によれば、撮影端末が配置された撮影箇所において、ユーザー端末が撮影端末での撮影が可能な箇所に位置することを検知手段が検知すると、ユーザー端末は検知手段からの通知を受けて撮影依頼手段によりデジタルカメラによる画像データの取得を前記管理サーバーに依頼する。すると、管理サーバーは、撮影指示手段により撮影端末のデジタルカメラを駆動して画像データを取得させる。これにより、撮影端末は撮影を行う。このとき、ユーザーはデジタルカメラの撮影範囲に位置していれば、ユーザーを含む集合写真が背景と共に撮影できる。そして、撮影端末は、撮影した画像データを管理サーバーに転送し、管理サーバーは、この画像データを、ユーザーの要求に基づいて配信する。このため、ユーザーは、気軽に集合写真を撮影でき、更に、ユーザーは、撮影された画像データをどこでもいつでも取得できる。また、撮影箇所の管理、及びユーザーの管理は個別に付与された撮影端末ＩＤ、検知手段ＩＤ、及びユーザー端末ＩＤのうちの少なくとも一つを用いて行われるので、複数の撮影箇所において複数のユーザーが撮影を行ったとしても、適正な管理を行うことができる。
【００１３】
［２］上記１の発明においては、前記管理サーバーにネットワークを介して接続され、取得した画像データを出力するユーザー出力端末を更に備え、前記管理サーバーは、前記ユーザー出力端末の要求に応じて各前記撮影端末が転送した画像データを前記ユーザー出力端末に転送する手段を備えてもよい。前記管理サーバーに接続されたユーザー出力端末からの要求に応じて画像データをユーザー出力端末に転送するので、ユーザーは、撮影された画像データをどこでもいつでも取得できる。
【００１４】
［３］上記２の発明において、前記ユーザー出力端末は、前記管理サーバーからの画像データを表示する手段及びプリントする手段の少なくとも一方の手段を備えてもよい。それにより、ユーザーは、ユーザー出力端末によって管理サーバーから取得した画像データの表示やプリントができる。
【００１５】
［４］上記１〜３の発明において、前記管理サーバーは、前記ユーザー端末ＩＤに基づいて画像データを管理してもよい。それにより、画像データが管理サーバーにおいてユーザー端末ＩＤに基づいて管理されるので、画像データが他のユーザーの画像データと混同されることがない。
【００１６】
［５］上記１〜４の発明において、各前記撮影端末は、前記画像データと共に、撮影端末ＩＤ、ユーザー端末ＩＤ、及び時刻情報を前記管理サーバーに転送してもよい。各前記撮影端末から管理サーバーに転送される画像データに撮影端末ＩＤ、ユーザー端末ＩＤ、及び時刻情報が付加されるので、ユーザーは、画像データと共に各情報を取得して活用できる。
【００１７】
［６］上記２又は３の発明において、前記管理サーバーは、前記ユーザー出力端末からのユーザー端末ＩＤに基づいて画像データを出力してもよい。それにより、ユーザー出力端末からのユーザー端末ＩＤに基づいて管理サーバーから画像データが伝送されるので、ユーザーは自己の画像データだけを確実に取得できると共に、他のユーザーに自己の画像データが取得されるのを防止できる。
【００１８】
［７］上記１〜６の発明において、各前記検知手段は、前記検知を無線通信、近距離無線通信、光通信、音声通信、１次または２次元の情報コードの撮影、生体認識により行ってもよい。それにより、検知を非接触で、迅速で且つ正確に行うことができる。
【図面の簡単な説明】
【００３０】
【図１】本発明の実施形態１に係る写真撮影配信システムの全体構成を示すブロック図である。
【図２】同写真撮影配信システムにおける管理サーバーの構成を示すブロック図である。
【図３】同写真撮影配信システムにおける撮影端末の構成を示すブロック図である。
【図４】同写真撮影配信システムにおけるユーザー端末の構成を示すブロック図である。
【図５】同写真撮影配信システムにおけるユーザー出力端末の構成を示すブロック図である。
【図６】同写真撮影配信システムのデータの授受状態を示すタイミングチャートである。
【図７】同写真撮影配信システムのデータの授受状態を示す模式図である。
【図８】同写真撮影配信システムの処理を示すものであり、（ａ）は準備手順を示すフローチャート、（ｂ）は商号写真の撮影手順を示すフローチャート、（ｃ）は画像データ取得手順を示すフローチャートである。
【発明を実施するための形態】
【００３１】
本発明を実施するための形態に係る写真撮影配信システムについて説明する。
【００３２】
＜実施形態１＞
本発明の実施形態１に係る写真撮影配信システムについて説明する。図１は本発明の実施形態１に係る写真撮影配信システムの全体構成を示すブロック図である。
本実施形態に係る写真撮影配信システム１００は、管理サーバー１１０と、撮影端末１２０と、検知手段であるビーコン装置１３０と、ユーザー端末１４０と、ユーザー出力端末１５０と備える。写真撮影配信システム１００において、管理サーバー１１０、撮影端末１２０、ユーザー端末１４０、ユーザー出力端末１５０はネットワークであるインターネット１６０等の回線で接続されている。また、ビーコン装置１３０は、ユーザー端末１４０と通信可能である。
【００３３】
管理サーバー１１０は、写真撮影配信システム１００の管理会社に設置される。また、撮影端末１２０は、複数台が撮影箇所２００、例えば観光地、景勝地、テーマパーク、遊園地、その他、集合写真を撮影するのに適した場所に配置される。ビーコン装置１３０は、撮影端末１２０に対応して複数が配置される。なお、図１では、撮影端末１２０及びビーコン装置１３０は１台ずつを図示している。
【００３４】
ユーザー端末１４０は、ユーザーが所有するものである。ユーザー端末１４０は、複数のユーザーに対応して複数が使用される。
ユーザー出力端末１５０は、ユーザーが使用するものであり、複数のユーザーに対応して複数が使用される。ユーザーはユーザー出力端末１５０から管理サーバー１１０にアクセスしてユーザー端末１４０が撮影した画像データを取得し、表示、印刷することができる。なお、図１では、ユーザー端末１４０、ユーザー出力端末１５０は、１台ずつを図示している。
【００３５】
次に、管理サーバー１１０の構成について説明する。図２は同写真撮影配信システムにおける管理サーバーの構成を示すブロック図である。管理サーバー１１０は、通信制御部１１１と、画像データ出力管理部１１２と、画像データ入力管理部１１３と、ユーザー管理部１１４と、撮影指示手段である撮影端末管理制御部１１５と、画像データベース１１６とを備える。
管理サーバー１１０は、ＣＰＵ(Central Processing Unit)、ＲＡＭ（Random Access Memory）、ＲＯＭ（Read Only Memory）等からなる公知のコンピュータで構成され、アプリケーションソフトとしてインストールされたプログラムを処理することにより上述した各処理部の機能を実現する。
【００３６】
通信制御部１１１は、インターネット１６０を介した撮影端末１２０、ユーザー端末１４０、ユーザー出力端末１５０との通信を制御する。画像データ出力管理部１１２は、ユーザー出力端末１５０からの要求に応じて画像データベース１１６に格納した画像データをユーザー出力端末１５０に向け出力する。画像データ出力管理部１１２は、ユーザー端末１４０からのユーザー端末ＩＤ、パスワードを照合した上で画像データを出力する。
【００３７】
画像データ入力管理部１１３は、撮影端末１２０からの画像データを受信し、管理して画像データベース１１６に格納する。画像データの格納は、ユーザー端末ＩＤに基づいて行われる。ユーザー管理部１１４は、複数のユーザーのユーザー端末ＩＤ、パスワードを管理し、ユーザーがユーザー出力端末１５０でアクセスしたとき、ユーザー端末ＩＤ及びパスワードを照合する。
【００３８】
撮影端末管理制御部１１５は、撮影端末１２０を撮像装置ＩＤに基づいて管理する他、撮影端末１２０に撮影指示を出力する。このため、撮影端末管理制御部１１５は、撮影指示手段として機能する。画像データベース１１６は、多数の撮影端末１２０からの画像データをユーザー端末ＩＤ毎に格納する。各画像データには、ユーザー端末ＩＤ、撮像装置ＩＤ、ユーザー端末の位置情報、時刻が付加されている。
【００３９】
次に、撮影端末１２０の構成について説明する。図３は同写真撮影配信システムにおける撮影端末の構成を示すブロック図である。撮影端末１２０は、通信制御部１２１と、デジタルカメラ１２２と、画像データ送信部１２３とを備える。撮影端末１２０は、背景を含む集合写真を撮影するものであり、固有の撮影端末ＩＤが付与されている他、現在時刻（Ｔ：時刻情報）を取得する。
撮影端末１２０の通信制御部１２１及び画像データ送信部１２３は、ＣＰＵ(Central Processing Unit)、ＲＡＭ（Random Access Memory）、ＲＯＭ（Read Only Memory）等からなる公知のコンピュータで構成され、アプリケーションソフトとしてインストールされたプログラムを処理することにより上述した各処理部の機能を実現する。
【００４０】
通信制御部１２１は、インターネット１６０を介した管理サーバー１１０との通信を制御する。デジタルカメラ１２２は、撮像素子、結像素子を備え、背景を含めて予め定めた範囲を撮影し画像データを出力する。画像データ送信部１２３は、デジタルカメラ１２２が取得した画像データを管理サーバー１１０に出力する。画像データ入力管理部１１３は、画像データ出力管理部１１２からの画像データに、画像データ出力管理部１１２で取得した時刻情報（Ｔ）、検知手段ＩＤであるビーコンＩＤ（Ｂ）、撮影端末ＩＤ（Ｃ）、ユーザー端末ＩＤ（Ｐ）、位置情報（Ｇ）を付与して通信制御部１２１に送出する。
【００４１】
ビーコン装置１３０は、撮影端末１２０の近傍に配置される。ビーコン装置１３０は、ユーザー端末１４０とビーコンＩＤを伝える微弱電波を発信しており、ユーザー端末１４０がビーコン装置１３０の近傍、即ち、撮影端末１２０で撮影できる範囲に入ったとき、ユーザー端末１４０はこの電波を受信して、ビーコンＩＤを取得する。
ビーコン装置１３０では、例えばBluetooth（登録商標） Low Energy（BLE）を用いた公知の「iBeacon（登録商標）」を使用することができる。ビーコン装置１３０からの電波を受信したユーザー端末１４０は、専用アプリケーションでビーコン装置１３０からの電波を受信すると、管理サーバー１１０に接続され、管理サーバー１１０に対して撮影端末１２０での撮影を依頼できる状態となる。
【００４２】
次にユーザー端末１４０について説明する。図４は同写真撮影配信システムにおけるユーザー端末の構成を示すブロック図である。ユーザー端末１４０は、例えばスマートフォン、タブレットＰＣ（personal computer）等の携帯端末装置であり、公衆回線を介してインターネット１６０に接続されている。ユーザー端末１４０は、ＣＰＵ(Central Processing Unit)、ＲＡＭ（Random Access Memory）、ＲＯＭ（Read Only Memory）等からなる公知の構成を備え、ユーザー端末１４０用のアプリケーションがインストールされ、これをＣＰＵで処理することにより後述の各手段の機能を実現する。ユーザー端末１４０は、ｉＯＳ（登録商標）、ＡＮＤＲＯＩＤ（登録商標）、ＷＩＮＤＯＷＳ（登録商標）等をＯＳ（Operating System）として動作する。
【００４３】
ユーザー端末１４０は、通信制御部１４１と、撮影依頼手段１４２と、表示入力手段１４３と、ビーコン認識接続手段１４４と、ＧＰＳ装置１４５を備える。通信制御部１４１は、インターネット１６０を介した管理サーバー１１０との通信を制御する。撮影依頼手段１４２は、ビーコン装置１３０からの通知を受け取ったとき、管理サーバー１１０に対して撮影端末１２０のデジタルカメラ１２２を駆動して画像データを取得するように依頼可能な状態にする。このとき、ユーザー端末１４０から管理サーバー１１０には、受信したビーコン装置１３０のビーコンＩＤ（Ｂ）、ユーザーのユーザー端末ＩＤ（Ｐ）、ユーザー端末１４０の位置情報（Ｇ）が送信される。
【００４４】
撮影の依頼は、ユーザーが撮影端末１２０のデジタルカメラ１２２の撮影範囲に入り、撮影の準備ができた状態、即ち管理サーバー１１０からレディー信号を受けた状態で行う。レディー信号を受けると、撮影依頼手段１４２は、表示入力手段１４３にシャッターボタンを表示する。
【００４５】
表示入力手段１４３は、液晶タッチパネルで構成され、上述した撮影依頼のため、シャッターボタンが表示されタッチ操作および端末を振る等のアクション操作により、撮影依頼がなされる。
ビーコン認識接続手段１４４は、ビーコン装置１３０からの電波を受信してビーコンＩＤを取得し、撮影依頼手段１４２を立ち上げる。ＧＰＳ装置１４５は、人工衛星からの信号を受信して位置情報（Ｇ）を取得する。
【００４６】
次に、ユーザー出力端末１５０について説明する。図５は同写真撮影配信システムにおけるユーザー出力端末の構成を示すブロック図である。ユーザー出力端末１５０は、管理サーバー１１０にインターネット１６０で接続されたコンピュータで実現される。ユーザー出力端末１５０は、ＣＰＵ(Central Processing Unit)、ＲＡＭ（Random Access Memory）、ＲＯＭ（Read Only Memory）等からなる公知の構成であり、ソフトウエアを実行して、管理サーバー１１０に接続することにより、ユーザー端末ＩＤで特定される画像データを取得して表示またはプリントする。
【００４７】
ユーザー出力端末１５０は、通信制御部１５１と、画像表示手段１５２と、入力手段１５３と、ソフトウエアであるウェブブラウザー１５４と、プリンタ１５５とを備える。通信制御部１５１は、インターネット１６０を介した管理サーバー１１０との通信を制御する。画像表示手段１５２は、ウェブブラウザー１５４を表示すると共に、取得した画像データを表示する。入力手段１５３は、キーボード、マウス、タッチパネルであり、ウェブブラウザー１５４の操作や、プリンタ１５５へのプリント指示を行う。ウェブブラウザー１５４は、公知のインターネット閲覧ソフトである。
【００４８】
管理サーバー１１０が提供するホームページにアクセスして、ユーザー端末ＩＤ、パスワードを入力して、指定したユーザー端末ＩＤで特定される画像データから所望の画像データを取得する。プリンタ１５５は、取得した画像データに基づいて印刷用紙に写真をプリントする。プリンタ１５５としてはインクジェットプリンタを使用することができる。なお、ユーザー出力端末１５０としては、上述したコンピュータの他、スマートフォン、タブレット端末等を使用することができる。またなお、ユーザー端末１４０がユーザー出力端末１５０に成り得る。
【００４９】
以下、写真撮影配信システム１００を使用してユーザーが集合写真を撮影して画像データを取得する手順について説明する。図６は同写真撮影配信システムのデータの授受状態を示す図、図７は同写真撮影配信システムのデータの授受状態を示す模式図、図８は同写真撮影配信システムの処理を示すものであり、（ａ）は準備手順を示すフローチャート、（ｂ）は商号写真の撮影手順を示すフローチャート、（ｃ）は画像データ取得手順を示すフローチャートである。
【００５０】
先ず、準備として図７、図８（ａ）に示すように、撮影箇所２００に撮影端末１２０、ビーコン装置１３０が設置される（ＳＡ１）。また、ユーザーは、ユーザー端末１４０に、ビーコン認識接続手段１４４及び撮影依頼手段１４２を実現するアプリケーションをインストールしておく（ＳＡ２）。更に、ユーザーは、ユーザー端末１４０あるいは自己のコンピュータから管理サーバー１１０に接続して、写真撮影配信システム１００の会員登録を行いユーザー端末ＩＤ、パスワード、支払い方法等を設定する（ＳＡ３）。管理サーバー１１０は、画像データベース１１６にユーザー端末ＩＤ別に画像データのフォルダを作成する。
【００５１】
次に集合写真の撮影手順について説明する。ユーザー端末１４０がビーコン装置１３０に近接する、即ち、撮影端末１２０で撮影を行うことができる領域に入ると、ユーザー端末１４０は、微弱電波を受信可能な状態となる。ユーザー端末１４０はこの電波を受信する（図６及び図７の（１）ビーコン受信：図８（ｂ）（図８（ｂ）のＳＢ１））。このとき、ユーザー端末１４０には、ビーコンＩＤ（Ｂ）が送信され、どのビーコン装置１３０にユーザー端末１４０が近接しているかビーコンＩＤで区別される。
【００５２】
ユーザー端末１４０がビーコン装置１３０からの電波を受信すると、ユーザー端末１４０では、撮影依頼手段１４２が起動し（同ＳＢ２）、ユーザー端末１４０を管理サーバー１１０に接続する（図６及び図７の（２）接続１）。このとき、ビーコンＩＤ（Ｂ）、ユーザー端末ＩＤ（Ｐ）、及び位置情報（Ｇ）が送信される。すると、管理サーバー１１０は、ビーコンＩＤ（Ｂ）で特定されるビーコン装置１３０に接続される（図６及び図７の（３）接続２）。この状態でユーザーは撮影箇所２００に入る（同ＳＢ３）。なお、図６には示していないが、撮影端末１２０が管理サーバ１１０からの（３）接続２の信号を受信したら、撮影端末１２０から管理サーバ１１０への返信を行う。
【００５３】
そして、管理サーバー１１０が撮影端末１２０に接続され、ユーザー端末１４０から管理サーバー１１０にユーザー端末ＩＤ（Ｐ）を送出する（同ＳＢ４）。管理サーバー１１０は、撮影端末１２０に撮影の準備をさせ（同ＳＢ５）、準備が完了したらユーザー端末１４０に準備完了としてレディー信号を送信する（図６及び図７の（４）レディー信号：（同ＳＢ６））。ユーザーはユーザー端末１４０でこのレディー通知を受けた状態で、ユーザー端末１４０の撮影依頼手段１４２で表示入力手段１４３に表示されたシャッターボタンをタッチして、管理サーバー１１０に撮影を依頼する（（５）撮影依頼：（同ＳＢ７））。撮影依頼には、ユーザー端末ＩＤ（Ｐ）、位置情報（Ｇ）、ビーコンＩＤ（Ｂ）が含まれる。
【００５４】
管理サーバー１１０は、ユーザー端末１４０からの撮影依頼を受け、撮影端末１２０に対して撮影を指示する（図６及び図７の（６）撮影指示：（同ＳＢ８））。撮影端末１２０は、デジタルカメラ１２２で撮影を行って画像データを取得し（ＳＢ９）、この画像データを管理サーバー１１０に送信する（図６及び図７の（７）画像データ送信：（ＳＢ１０））。画像データには、時刻情報（Ｔ）、ビーコンＩＤ（Ｂ）、撮影端末ＩＤ（Ｃ）、ユーザー端末ＩＤ（Ｐ）、位置情報（Ｇ）が付加される。撮影はユーザーの要求に応じて複数回行うことができ、その都度画像データが撮影端末１２０から管理サーバー１１０に送出される。管理サーバー１１０は、ユーザー端末１４０からの画像データをユーザー端末ＩＤ（Ｐ）に基づいて整理し、画像データベース１１６に蓄積する（ＳＢ１１）。
【００５５】
次にユーザーによる画像データの取得手順について説明する。ユーザーが画像データを取得したい場合、その場であるいは帰宅後、更にその後において、ユーザー出力端末１５０である自宅のコンピュータで管理サーバー１１０に接続する（図６及び図７の（８）画像データ要求：図８（ａ）のＳＣ１）。ユーザーはユーザー出力端末１５０のウェブブラウザー１５４を使用して、ユーザー出力端末１５０をインターネット経由で管理サーバー１１０に接続する。このとき、ユーザー端末ＩＤ（Ｐ）と、パスワード（Ｐａｓｓ）を送信する（同ＳＣ２）。このとき、撮影端末ＩＤの指定や、時刻の範囲を指定することができる、
管理サーバー１１０では、ユーザー端末ＩＤ（Ｐ）と、パスワード（Ｐａｓｓ）を照合して、要求された撮影端末ＩＤ（Ｃ）、時刻の範囲に属する画像データをユーザー出力端末１５０に送信する（図６及び図７の（９）画像データ送信）。送出される画像データには、撮影端末ＩＤ（Ｃ）、時刻情報（Ｔ）、位置情報（Ｇ）が付加されている。
【００５６】
ユーザー出力端末１５０では、取得した画像データをダウンロードしてディスプレイに表示したり、別媒体に格納したり、プリンタ１５５で印刷する（同ＳＣ３）。また、ユーザー出力装置としては、コンピュータだけではなく、スマートフォン１５０ａ（図７）を使用できる。これにより、外出先で手軽に撮影した集合写真をスマートフォン１５０ａに表示できる。
【００５７】
以上のように、実施形態１に係る写真撮影配信システム１００によれば、ユーザーは、気軽に参加者全員が写った集合写真を撮影でき、更に、ユーザーは、撮影された集合写真の画像データをどこでもいつでも取得して表示しプリントできる。
また、テーマパークの高所、山頂、レースサーキット等に撮影端末を設置し、人間では撮影することが不可能なアングルで、ダイナミックな写真が撮影できる。
【００５８】
＜他の実施形態＞
実施形態では、検知手段としては、ビーコン装置を使用した。本発明では、検知手段としてビーコン装置の他、光通信、近距離無線通信、音声通信、１次または２次元の情報コードの撮影、または生体認識による検知を行うことができる。
【００５９】
近距離無線通信は、非接触通信とも称され、ＮＦＣ（Near field radio communication）チップを撮影端末１２０の近傍に配置し、このＮＦＣチップをユーザー端末１４０で読み取り、検知手段ＩＤを取得する。この近距離無線通信を使用する場合には、ユーザー端末１４０に近距離無線通信の受信手段を備える必要がある。
【００６０】
光通信を使用する場合には、検知手段から検知手段ＩＤを信号として含む赤外線等を照射し、ユーザー端末１４０でこの赤外線を内蔵されたカメラで取得し、検知手段ＩＤを取得する。同様に、音声通信を使用する場合には、検知手段に設置したスピーカーから検知手段ＩＤを信号として含む非可聴音を出力し、ビーコン装置１３０のマイクでその音を検出し、検知手段ＩＤを取得する。
【００６１】
１次または２次元の情報コードを使用する場合には、撮影端末１２０の近傍に例えばＱＲコード（登録商標）を表示しておき、ユーザー端末１４０で読み取り、ユーザー端末１４０に検知手段ＩＤを伝送する。
【００６２】
生体認証としては、顔認証、指紋認証、虹彩、網膜、血管、音声等を使用できる。顔認証を行う場合、検知手段として撮影端末１２０を使用し、デジタルカメラ１２２で取得した顔の画像データを画像処理して、予め登録したユーザーの顔画像データと比較して認証を行い、ユーザー端末１４０に検知手段ＩＤを送信する。
また、その他の生体認証を行う場合には、撮影端末１２０の近傍に検知手段として、指紋等のセンサーを設置し、予め登録した情報と比較することにより行い、ユーザー端末１４０に検知手段ＩＤを送信する。
【符号の説明】
【００６３】
１００：写真撮影配信システム
１１０：管理サーバー
１１１：通信制御部
１１２：画像データ出力管理部
１１３：画像データ入力管理部
１１４：ユーザー管理部
１１５：撮影端末管理制御部（撮影指示手段）
１１６：画像データベース
１２０：撮影端末
１２１：通信制御部
１２２：デジタルカメラ
１２３：画像データ送信部
１３０：ビーコン装置（通知手段）
１４０：ユーザー端末
１４１：通信制御部
１４２：撮影依頼手段
１４３：表示入力手段
１４５：ＧＰＳ装置
１５０：ユーザー出力端末
１５１：通信制御部
１５２：画像表示手段
１５３：入力手段
１５４：ウェブブラウザー
１５５：プリンタ
１６０：インターネット
２００：撮影箇所
【図１】
0006615044.tif 000002
【図２】
0006615044.tif 000003
【図３】
0006615044.tif 000004
【図４】
0006615044.tif 000005
【図５】
0006615044.tif 000006
【図６】
0006615044.tif 000007
【図７】
0006615044.tif 000008
【図８】
0006615044.tif 000009